(57)【要約】【課題】  単純かつコンパクトな構成によって、良好なタッチ重さおよびタッチ感を確保しながら、レットオフのタイミングが明確になることで、表現力に優れた高い演奏性を実現可能なアップライトピアノのアクションを提供する。【解決手段】  ハンマー１が立設されたバット２は、バットフレンジ８に回動自在に支持され、ジャック２３は、離鍵状態においてバット２に係合し、押鍵に伴い、バット２を突き上げることでバット２およびハンマー１を後方に回動させ、バットスプリング３は、バット２の背面２ｄに対向して上下方向に延び、上端部３ａおよび下端部３ｄがバット２およびバットフレンジ８に対してそれぞれ係止され、バット２を前方に付勢し、押圧部４は、バット２の背面２ｄおよび／またはバットスプリング３に設けられ、押鍵に伴うジャック２３の離脱直前に、バット２およびバットスプリング３を互いに接触させることで、バット２を前方に押圧する。【選択図】  図５
2007108661.tif 000002
【特許請求の範囲】
【請求項１】
鍵の押鍵に伴って作動し、ハンマーを後方に回動させることにより打弦を行わせるアップライトピアノのアクションであって、
バットフレンジに回動自在に支持されるとともに、前記ハンマーが立設されたバットと、
前記鍵の離鍵状態において前記バットに係合し、前記鍵の押鍵に伴い、前記バットを突き上げることによって当該バットおよび前記ハンマーを後方に回動させるとともに、当該回動の途中で、前記バットから離脱するジャックと、
前記バットの背面に対向するように上下方向に延びるとともに、上端部および下端部が前記バットおよび前記バットフレンジに対してそれぞれ係止され、前記バットを前方に付勢するバットスプリングと、
前記バットの背面および前記バットスプリングの少なくとも一方に設けられ、押鍵に伴って前記ジャックが前記バットから離脱する直前に、前記バットおよび前記バットスプリングを互いに接触させることによって、前記バットを前方に押圧する押圧部と、
を備えることを特徴とするアップライトピアノのアクション。
【請求項２】
前記押圧部は、前記バットの背面に設けられ、前記ジャックが離脱する直前に前記バットスプリングに当接する弾性材で構成されていることを特徴とする、請求項１に記載のアップライトピアノのアクション。
【請求項３】
鍵の押鍵に伴って作動し、ハンマーを後方に回動させることにより打弦を行わせるアップライトピアノのアクションであって、
バットフレンジに回動自在に支持されるとともに、前記ハンマーが立設されたバットと、
前記鍵の離鍵状態において前記バットに係合し、前記鍵の押鍵に伴い、前記バットを突き上げることによって当該バットおよび前記ハンマーを後方に回動させるとともに、当該回動の途中で、前記バットから離脱するジャックと、
前記バットの背面に対向するように上下方向に延びるとともに、上端部および下端部が前記バットおよび前記バットフレンジに対してそれぞれ係止され、前記バットを前方に付勢するバットスプリングと、を備え、
当該バットスプリングは、前記バット側に凸に曲がるように形成され、離鍵状態では前記バットの背面から離れているとともに、押鍵に伴って前記ジャックが前記バットから離脱する直前に、前記バットの背面に当接することによって、前記バットを前方に押圧する押圧部を有することを特徴とするアップライトピアノのアクション。
【請求項４】
前記バットの背面に、前記バットスプリングの前記押圧部の左右方向のずれを規制する規制部が設けられていることを特徴とする、請求項３に記載のアップライトピアノのアクション。
【請求項５】
前記バットの背面の前記押圧部が当接する部分に、緩衝材が設けられていることを特徴とする、請求項３に記載のアップライトピアノのアクション。
【請求項６】
鍵の押鍵に伴って作動し、ハンマーを後方に回動させることにより打弦を行わせるアップライトピアノのアクションであって、
バットフレンジに回動自在に支持されるとともに、前記ハンマーが立設されたバットと、
前記鍵の離鍵状態において前記バットに係合し、前記鍵の押鍵に伴い、前記バットを突き上げることによって当該バットおよび前記ハンマーを後方に回動させるとともに、当該回動の途中で、前記バットから離脱するジャックと、
前記バットの背面に対向するように上下方向に延びるとともに、上端部および下端部が前記バットおよび前記バットフレンジに対してそれぞれ係止され、前記バットを前方に付勢するバットスプリングと、を備え、
当該バットスプリングは、前記バット側に凸に曲がり、前記バットの背面に接触するとともに、押鍵に伴って前記バットの回動角度が大きくなるほど、前記バットの背面との接触部分の下端位置が下方に移動するような所定の形状を有することを特徴とするアップライトピアノのアクション。
【発明の詳細な説明】
【技術分野】
【０００１】
本発明は、鍵の押鍵に伴って作動し、ハンマーを後方に回動させることにより打弦を行わせるアップライトピアノのアクションに関する。
【背景技術】
【０００２】
従来のアップライトピアノのアクションとして、例えば特許文献１に開示されたものが知られている。このアクションは、一般的なものであり、バットフレンジに回動自在に取り付けられ、上下方向に延びるハンマーシャンクを有するハンマーが立設されたバットと、鍵の離鍵状態においてバットの下端部に係合するジャックと、バットに設けられたバットスプリングとを有している。このバットスプリングは、ねじりコイルばねで構成された一般的なものであり、バットを復帰方向に常に付勢している。
【０００３】
また、アクションでは、鍵が押鍵されると、ジャックがバットを突き上げ、それにより、バットおよびハンマーは、バットスプリングの付勢力に抗しながら、バットフレンジを中心に後方に回動する。この回動の途中、ジャックはバットから離脱し、それにより、鍵のタッチ重さ（指先にかかる荷重）からハンマーの重量分が失われることで、演奏者にレットオフ感が付与される。また、このジャックの離脱後、ハンマーは、慣性でそのまま回動し、後方に張られた弦を打弦することによって、演奏音を発生させる。
【０００４】
一般に、豊かな演奏表現のためには、ジャックがハンマーから離脱するタイミング、すなわちレットオフのタイミングを正確に把握し、ハンマーの打弦速度を細かくコントロールすることが重要である。例えば、ピアニッシモのような弱音は、ハンマーを弦の付近まで一旦、回動させ、その状態からさらに回動させることにより、ハンマーの打弦速度を小さくすることによって得ることができる。すなわち、鍵を、ジャックがハンマーから離脱するレットオフ直前まで一旦、押鍵し、その状態から押し切ることによって、弱音を得ることができる。
【０００５】
これに対して、従来のアクションを適用したアップライトピアノでは、前述したように、ハンマーシャンクが上下方向に延びているために、ハンマーの重心がその回動支点に近い位置にあるので、ハンマーの自重による回動支点回りのモーメントは小さい。このため、レットオフ直前のタッチ重さであるレットオフ荷重は小さく、レットオフ前後のタッチ重さの変化量もまた小さいので、レットオフのタイミングを把握し難い。これに対して、グランドピアノでは、ハンマーシャンクが前後方向に延びていて、ハンマーの自重による回動支点回りのモーメントは大きいので、上記のような問題はほとんどない。以上の結果、アップライトピアノでは、グランドピアノと比較して、ハンマーの打弦速度を細かく調整し難いことによって、ピアノの表現力や演奏性が低くなってしまう。
【０００６】
一方、前述したように、バットスプリングの付勢力は、バットを復帰方向に付勢するように作用するため、押鍵時に鍵に反力として作用する。このため、上記のような不具合を解消すべく、レットオフのタイミングを明確にするために、このバットスプリングの付勢力を増大させることが考えられる。しかし、その場合には、バットスプリングの付勢力が常に作用するため、鍵の静的荷重が大きくなり、タッチ重さが過大になるとともに、ばねを変形させるときに得られるような「ばねっぽい」タッチ感になり、タッチ感を悪化させてしまう。
【０００７】
本発明は、以上のような課題を解決するためになされたものであり、単純かつコンパクトな構成によって、良好なタッチ重さおよびタッチ感を確保しながら、レットオフのタイミングを明確にすることができ、それにより、表現力に優れた高い演奏性を実現することができるアップライトピアノのアクションを提供することを目的とする。
【０００８】
【特許文献１】特開平６−２７９３４号公報
【発明の開示】
【課題を解決するための手段】
【０００９】
上記の目的を達成するため、請求項１に係る発明は、鍵の押鍵に伴って作動し、ハンマーを後方に回動させることにより打弦を行わせるアップライトピアノのアクションであって、バットフレンジに回動自在に支持されるとともに、ハンマーが立設されたバットと、鍵の離鍵状態においてバットに係合し、鍵の押鍵に伴い、バットを突き上げることによってバットおよびハンマーを後方に回動させるとともに、当該回動の途中で、バットから離脱するジャックと、バットの背面に対向するように上下方向に延びるとともに、上端部および下端部がバットおよびバットフレンジに対してそれぞれ係止され、バットを前方に付勢するバットスプリングと、バットの背面およびバットスプリングの少なくとも一方に設けられ、押鍵に伴ってジャックがバットから離脱する直前に、バットおよびバットスプリングを互いに接触させることによって、バットを前方に押圧する押圧部と、を備えることを特徴とする。
【００１０】
このアップライトピアノのアクションによれば、離鍵状態では、ジャックがバットに係合しており、この状態から鍵が押鍵されると、ジャックはバットを突き上げ、それにより、バットは、これに立設されたハンマーとともに、バットフレンジを支点として後方に回動する。この回動の途中、ジャックがバットから離脱し、それにより、ハンマーの重量分がタッチ重さから失われることによって、演奏者にレットオフ感が付与される。また、このジャックの離脱後、ハンマーは、慣性でそのまま回動し、弦を打弦することによって、ピアノ音を発生させる。さらに、バットの背面には、これに対向するようにバットスプリングが上下方向に延びており、その上端部および下端部が、バットおよびバットフレンジに対してそれぞれ係止されている。このバットスプリングによってバットが前方に付勢されており、この付勢によって、押鍵後の離鍵時に、ハンマーが前方の元の位置に復帰回動する。また、バットの背面および／またはバットスプリングには、押圧部が設けられており、この押圧部は、押鍵に伴ってジャックがバットから離脱する直前に、バットおよびバットスプリングを互いに接触させることによって、バットを前方に押圧する。
【００１１】
以上のように、ジャックが離脱する直前において、押圧部がバットを前方に押圧し、すなわち、バットスプリングの付勢力に加え、押圧部による押圧力が、ジャックの突き上げ力に抗し、バットを前方に回動させる方向に作用するので、この押圧力の分、レットオフ荷重を増大でき、レットオフ前後のタッチ重さの変化量を増大できる。これにより、レットオフのタイミングがより明確になるので、表現力に優れた高い演奏性を実現することができる。また、押圧部による押圧力がレットオフ直前にのみ作用し、それ以前には作用しないので、良好なタッチ重さおよびタッチ感を確保することができる。さらに、本発明のアクションは、バットの背面やバットスプリングに押圧部を設けるだけでよいので、単純かつコンパクトな構成で実現することができる。
【００１２】
請求項２に係る発明は、請求項１に記載のアップライトピアノのアクションにおいて、押圧部は、バットの背面に設けられ、ジャックが離脱する直前にバットスプリングに当接する弾性材で構成されていることを特徴とする。
【００１３】
この構成によれば、ジャックが離脱する直前に、バットの背面に設けられた弾性材がバットスプリングに当接する。具体的には、押鍵に伴ってバットがバットフレンジの支点を中心として回動すると、バットと一体の弾性材およびバットスプリングの上端部が同じ支点を中心として回動するのに対し、バットスプリングの下端部はバットフレンジに対して係止されているため、支点を中心とするバットスプリングの回動ストロークは、下端側に向かうほど、バットよりも小さくなる。その結果、バットの回動の途中、ジャックが離脱する直前に、弾性材がバットスプリングに当接するようになる。この当接に伴い、バットスプリングが弾性材を介してバットを前方に押圧することによって、レットオフ荷重が増大する。この場合、バットスプリングに当接した際に弾性材が弾性変形することによって、バットスプリングによる押圧力を弾性材を介してバットに確実に作用させることができるので、レットオフ荷重を確実に増大できる。また、弾性材が緩衝材としての役割を果たすので、バットスプリングが当接した際のノイズの発生や、バットスプリングの変形およびバットの摩耗を防止することができる。
【００１４】
前記目的を達成するため、請求項３に係る発明は、鍵の押鍵に伴って作動し、ハンマーを後方に回動させることにより打弦を行わせるアップライトピアノのアクションであって、バットフレンジに回動自在に支持されるとともに、ハンマーが立設されたバットと、鍵の離鍵状態においてバットに係合し、鍵の押鍵に伴い、バットを突き上げることによってバットおよびハンマーを後方に回動させるとともに、当該回動の途中で、バットから離脱するジャックと、バットの背面に対向するように上下方向に延びるとともに、上端部および下端部がバットおよびバットフレンジに対してそれぞれ係止され、バットを前方に付勢するバットスプリングと、を備え、バットスプリングは、バット側に凸に曲がるように形成され、離鍵状態ではバットの背面から離れているとともに、押鍵に伴ってジャックがバットから離脱する直前に、バットの背面に当接することによって、バットを前方に押圧する押圧部を有することを特徴とする。
【００１５】
このアップライトピアノのアクションによれば、請求項１と同様、鍵の押鍵に伴い、バットがジャックに突き上げられることによって、後方の弦に向かって回動し、この回動の途中、ジャックがバットから離脱することによって、演奏者にレットオフ感が付与される。また、このジャックの離脱後、ハンマーは、慣性でそのまま回動し、弦を打弦する。さらに、バットの背面には、これに対向するようにバットスプリングが上下方向に延びており、その上端部および下端部が、バットおよびバットフレンジに対してそれぞれ係止されている。このバットスプリングによって、バットが前方に付勢されている。また、バットスプリングには、押圧部がバット側に凸に曲がるように形成されており、この押圧部は、離鍵状態ではバットの背面から離れているとともに、請求項２で述べたように、バットスプリングの下端部がバットフレンジに対して係止されている関係上、バットスプリングの回動ストロークがバットよりも小さいため、押鍵に伴ってジャックが離脱する直前に、バットの背面に当接し、それにより、バットを前方に押圧する。
【００１６】
このように、レットオフ直前に、押圧部がバットを前方に押圧するので、請求項１と同様、レットオフ荷重を増大でき、レットオフ前後のタッチ重さの変化量を増大できる。したがって、レットオフのタイミングを明確にすることができ、それにより、表現力に優れた高い演奏性を実現することができる。また、押圧部の押圧力がレットオフ直前にのみ作用し、それ以前には作用しないので、請求項１と同様、良好なタッチ重さおよびタッチ感を確保することができる。さらに、本発明のアクションは、既存のバットスプリングに押圧部を設けるだけで、非常に単純かつコンパクトに構成できるとともに、部品点数は変わらないので、製造コストを最小限に抑えることができる。
【００１７】
請求項４に係る発明は、請求項３に記載のアップライトピアノのアクションにおいて、バットの背面に、バットスプリングの押圧部の左右方向のずれを規制する規制部が設けられていることを特徴とする。
【００１８】
この構成によれば、バットの背面に設けられた規制部によって、バットの背面に当接した際のバットスプリングの押圧部の左右方向のずれが規制され、抑制される。これにより、押圧部の押圧力をバットにロスなく効率的に伝達することができ、それにより、レットオフ荷重を確実に増大できる。
【００１９】
請求項５に係る発明は、請求項３に記載のアップライトピアノのアクションにおいて、バットの背面の押圧部が当接する部分に、緩衝材が設けられていることを特徴とする。
【００２０】
この構成によれば、バットの背面の押圧部が当接する部分に緩衝材が設けられているので、押圧部がバットの背面に当接した際にノイズが発生するのを防止できるとともに、バットの摩耗および押圧部の変形を防止することができる。また、例えば、緩衝材として、互いに異なる厚さを有する複数のものを用意し、その中から適当な厚さのものを選択することによって、押圧部とバットの背面とのクリアランスを、押圧部がバットにレットオフ直前に当接するような適切な大きさに、容易に調整することができる。
【００２１】
前記目的を達成するため、請求項６に係る発明は、鍵の押鍵に伴って作動し、ハンマーを後方に回動させることにより打弦を行わせるアップライトピアノのアクションであって、バットフレンジに回動自在に支持されるとともに、ハンマーが立設されたバットと、鍵の離鍵状態においてバットに係合し、鍵の押鍵に伴い、バットを突き上げることによってバットおよびハンマーを後方に回動させるとともに、当該回動の途中で、バットから離脱するジャックと、バットの背面に対向するように上下方向に延びるとともに、上端部および下端部がバットおよびバットフレンジに対してそれぞれ係止され、バットを前方に付勢するバットスプリングと、を備え、バットスプリングは、バット側に凸に曲がり、バットの背面に接触するとともに、押鍵に伴ってバットの回動角度が大きくなるほど、バットの背面との接触部分の下端位置が下方に移動するような所定の形状を有することを特徴とする。
【００２２】
このアップライトピアノのアクションによれば、請求項１および３と同様、鍵の押鍵に伴い、バットが、ジャックの突上げによって後方の弦に向かって回動し、その途中、ジャックがバットから離脱し、その後、ハンマーが弦を打弦する。また、バットの背面には、これに対向するようにバットスプリングが上下方向に延びており、その上端部および下端部が、バットおよびバットフレンジに対してそれぞれ係止されている。さらに、バットスプリングは、バット側に凸に曲がり、バットの背面に接触するような所定の形状を有している。以上の構成により、バットスプリングは、バットの回動が進むほど、圧縮され、たわむことにより、バットの背面との接触部分を介してバットを前方に付勢する。また、請求項２に関して述べたように、バットフレンジの支点を中心とするバットスプリングの回動ストロークは、その下端側に向かうほど、バットよりも小さくなる。このため、押鍵に伴ってバットの回動角度が大きくなるほど、バットスプリングのバットの背面との接触部分の下端位置が下方に移動し、それに伴い、バットスプリングの有効長さが短くなることによって、バットに作用するバットスプリングの付勢力とそのたわみとの比がより大きくなる。
【００２３】
以上により、バットスプリングの付勢力は、バットの回動角度が大きくなるほど、すなわち、押鍵が進むほど、より大きな増加度合で非線形に大きくなる。したがって、レットオフ直前に、バットスプリングによるより大きな付勢力がバットに作用するので、請求項１と同様、レットオフ荷重を増大でき、レットオフ前後のタッチ重さの変化量を増大できる。したがって、レットオフのタイミングを明確にすることができ、それにより、表現力に優れた高い演奏性を実現することができる。また、バットの回動角度が小さいとき、すなわち押鍵の初期には、バットスプリングの付勢力がより小さい状態に維持されるので、請求項１と同様、良好なタッチ重さおよびタッチ感を確保することができる。さらに、請求項３と同様、本発明のアクションは、既存のバットスプリングを上述したような所定の形状を有するように形成するだけなので、非常に単純かつコンパクトに構成できるとともに、製造コストを最小限に抑えることができる。
【発明を実施するための最良の形態】
【００２４】
以下、図面を参照しながら、本発明の好ましい実施形態について説明する。図１は、本発明の第１実施形態によるアップライトピアノのアクション２１、鍵盤１１およびハンマー１などを、離鍵状態において示している。なお、以下の説明では、演奏者側から見て手前側を「前」、奥側を「後」として説明する。また、同図を含む実施形態を説明するための図では、便宜上、ハッチングを省略するものとする。鍵盤１１は、左右方向（図１の奥行き方向）に並んだ多数の鍵１２（１つのみ図示）によって構成されている。各鍵１２は、筬１３に立設されたバランスピン１３ａに、回動自在に支持されている。
【００２５】
ハンマー１は、鍵１２ごとに設けられており（１つのみ図示）、各ハンマー１は、ハンマーシャンク５およびハンマーヘッド６を有している。ハンマーシャンク５は、断面円形の細長い棒状に形成され、後述するアクション２１のバット２の上面に立設されており、上下方向に延びている。ハンマーヘッド６は、ハンマーウッド６ａおよびこれに巻かれたハンマーフェルト６ｂなどで構成されており、ハンマーシャンク５の上端部に設けられていて、離鍵状態では、後方に鉛直に張られた弦Ｓに対向している。
【００２６】
アクション２１は、鍵盤１１の後端部の上方において、筬１３の左右端部にそれぞれ設けられたブラケット（図示せず）に取り付けられ、左右のブラケットの間に配置されている。また、アクション２１は、鍵１２ごとに設けられたウィッペン２２、ジャック２３およびバット２を有している（各１つのみ図示）。左右のブラケットの間には、センターレール３１およびハンマーレール３２が渡されている。
【００２７】
ウィッペン２２は、例えば合成樹脂や木材によって所定の形状に形成されており、その後端部において、センターレール３１の下端部に固定されたウィッペンフレンジ２４に、ピン状の支点２２ａを介して回動自在に支持されている。ウィッペン２２の前部には、下方に突出するヒール部２２ｂが設けられており、ウィッペン２２は、このヒール部２２ｂを介して、対応する鍵１２の上面後端部に設けられたキャプスタンボタン１２ａに載置されている。ウィッペン２２の上面前端部には、バックチェックワイヤ２５ａが立設されており、このバックチェックワイヤ２５ａの先端部に、バックチェック２５が取り付けられている。また、ウィッペン２２の上面のウィッペンフレンジ２４よりも後ろ側の部分には、後述するダンパー３５を駆動するためのスプーン２６が立設されている。
【００２８】
ジャック２３は、例えば合成樹脂で構成されており、射出成形によって一体成形されている。ジャック２３は、前後方向に延びる基部２３ａと、基部２３ａの後端部から上方に延びるハンマー突上部２３ｂを有しており、基部２３ａとハンマー突上部２３ｂとの角部において、ウィッペン２２の中央部に、ピン状の支点２３ｃを介して回動自在に支持されている。ジャック２３の基部２３ａとウィッペン２２の間には、離鍵時にジャック２３を復帰回動させるためのジャックスプリング２７が設けられている。また、基部２３ａの上方には、レギュレティングボタン２８が鍵１２ごとに設けられている（１つのみ図示）。このレギュレティングボタン２８は、レギュレティングブラケット２９やレギュレティングレール３０を介して、センターレール３１に固定されている。
【００２９】
バット２は、合成樹脂により所定の形状に形成されていて、その背面側の下端部において、センターレール３１の上端部に固定されたバットフレンジ８に、ピン状の支点２ａを介して回動自在に支持されており、それにより、ハンマー１は回動自在になっている。バット２の前面には、キャッチャー７が取り付けられており、キャッチャー７は、前方に延び、離鍵状態では、前述したバックチェック２５の後方に位置し、これと対向している。また、バット２の背面の上端部は後方に若干突出し、その左右方向の中央に、溝２ｂが形成されており、この溝２ｂには、バットスプリング３が取り付けられている（図３参照）。
【００３０】
図２に示すように、このバットスプリング３は、ねじりコイルばねで構成されており、コイル部３ａ、第１腕部３ｂおよび第２腕部３ｃを有している。コイル部３ａは、バット２の溝２ｂに嵌合した状態でバットスプリングコード２ｃに係止されており、第１腕部３ｂは、コイル部３ａの一端から下方に延び、溝２ｂの底面に係合している。第２腕部３ｃは、コイル部３ａの他端から、バット２の背面２ｄに対向するように下方に延びており、その下端部のフック部３ｄが、バットフレンジ８に取り付けられたバットフレンジコード２ｅに引っ掛けられ、係止されている。以上の構成により、バットスプリング３は、バット２とバットフレンジ８の間に圧縮された状態で取り付けられており、それにより、バット２を前方に付勢し、ハンマー１を図１の時計回りに付勢している。
【００３１】
また、図２〜図４に示すように、バット２の背面２ｄには、押圧部４が設けられており、押圧部４は、取付部４ａおよび当接部４ｂなどで構成されている。取付部４ａは、例えば合成樹脂で構成されており、上下方向に延びる板状の基部４ｃと、基部４ｃの上端部の左右の端部からそれぞれ直角に後方に若干延びる左右の壁部４ｄ，４ｄを一体に有している。当接部４ｂは、弾性材、例えば発泡ウレタンまたはゴムで構成され、所定の大きさの直方体状に形成されており、取付部４ａの壁部４ｄ，４ｄの間に取り付けられている。
【００３２】
また、基部４ｃの下部には、取付孔４ｅが形成されており、押圧部４は、バット２の背面２ｄの下端部に形成されたねじ穴（図示せず）に、ねじ４ｆを取付孔４ｅを介してねじ込むことによって、バット２の背面２ｄに取り付けられている。これにより、図２に示すように、押圧部４の当接部４ｂは、バット２とバットスプリング３の第２腕部３ｃの間の所定位置に配置され、離鍵状態では、第２腕部３ｃに間隔を隔てて対向しており、第２腕部３ｃとのクリアランスＣ１は、所定値に設定されている。
【００３３】
以上の構成により、離鍵状態では、ジャック２３のハンマー突上部２３ｂがバット２の下面の前端部で構成される被突上部２ｆに下方から係合することによって、ハンマー１が静止した状態になっている。
【００３４】
アクション２１の後方には、ダンパー３５が鍵１２ごとに設けられている（１つのみ図示）。ダンパー３５は、ダンパーフレンジ３５ａを介してセンターレール３１に回動自在に取り付けられたダンパーレバー３５ｂと、ダンパーレバー３５ｂの上側にダンパーワイヤ３５ｃを介して取り付けられたダンパーヘッド３５ｄと、ダンパーヘッド３５ｄを弦Ｓ側に付勢するダンパーレバースプリング３５ｅなどで構成されている。このダンパー３５は、離鍵時に、ダンパーレバースプリング３５ｅの付勢力により、ダンパーヘッド３５ｄが弦Ｓを押圧することによって、止音動作を行う。
【００３５】
次に、上述したアクション２１およびハンマー１などの押鍵の開始から離鍵の終了までの一連の動作について説明する。演奏者により離鍵状態の鍵１２が押鍵されると、鍵１２は、バランスピン１３ａを中心として図１の時計回りに回動し、その後端部に載置されたウィッペン２２は、鍵１２により突き上げられることによって、支点２２ａを中心として上方（反時計回り）に回動する。このウィッペン２２の回動に伴い、ジャック２３は、ウィッペン２２と一緒に上方に移動し、ハンマー突上部２３ｂを介してバット２を突き上げる。これにより、バット２およびハンマー１は、バットスプリング３の付勢力に抗しながら、支点２ａを中心として、後方の弦Ｓに向かって反時計回りに回動する。バットスプリング３のフック部３ｄがバットフレンジ８に対して係止されているので、このハンマー１の回動に伴う支点２ａを中心とするバットスプリング３の回動ストロークは、下端側に向かうほど、バット２よりも小さくなる。このため、バット２が第２腕部３ｃに向かって相対的に後方に移動する。
【００３６】
そして、ウィッペン２２が所定角度、回動したときに、ジャック２３の基部２３ａがレギュレティングボタン２８に当接し、上方への移動が規制されることにより、ジャック２３がウィッペン２２に対して時計回りに回動する。
【００３７】
押鍵がさらに進むと、ジャック２３がウィッペン２２に対してさらに回動することによって、ハンマー突上げ部２３ｂがバット２から前方に外れ、ジャック２３がハンマー１から離脱する（レットオフ）。これにより、鍵１２のタッチ重さからバット２およびハンマー１の重量分が失われることによって、演奏者にレットオフ感が付与される。また、上述したように、バット２が第２腕部３ｃに向かって相対的に後方に移動することによって、上記のレットオフ直前に、図５に示すように、押圧部４の当接部４ｂがバットスプリング３の第２腕部３ｃに当接する。この当接に伴い、バットスプリング３が押圧部４を介してバット２を前方に押圧する。
【００３８】
また、このジャック２３の離脱後、ハンマー１は、慣性で回動し、弦Ｓを打弦することによって、ピアノ音を発生させる。その後、ハンマー１は、バットスプリング３の付勢力によって時計回りに復帰回動し、キャッチャー７がバックチェック２５に係止されることによって、一旦、停止する。
【００３９】
そして、押鍵が終了し、鍵１２が離鍵されるのに伴い、バックチェック２５によるハンマー１の係止状態が解除され、それにより、ハンマー１は復帰回動を再開する。また、これと並行して、鍵１２およびアクション２１なども復帰回動することによって、図１に示す離鍵状態に復帰し、押鍵の開始から離鍵の終了までの一連の動作が終了する。
【００４０】
以上のように、本実施形態によれば、レットオフ直前に、バット２の背面２ｄに設けた押圧部４の当接部４ｂが、バットスプリング３の第２腕部３ｃに当接することによって、バットスプリング３が押圧部４を介してバット２を前方に押圧する。これにより、レットオフ荷重を増大でき、レットオフ前後のタッチ重さの変化量を増大できるので、レットオフのタイミングを明確にすることができ、したがって、表現力に優れた高い演奏性を実現することができる。
【００４１】
また、上述したような押圧力がレットオフ直前にのみ作用し、それ以前には作用しないので、良好なタッチ重さおよびタッチ感を確保することができる。さらに、バット２の背面２ｄに押圧部４を設けるだけで、アクション２１を単純かつコンパクトに構成することができる。また、当接部４ｂが弾性材で構成されているので、当接部４ｂが第２腕部３ｃに当接した際に弾性変形することによって、バットスプリング３による押圧力をバット２に確実に作用させることができる。さらに、当接部４ｂが緩衝材としての役割を果たすので、バットスプリング３が当接した際のノイズの発生や、バットスプリング３の変形およびバット２の摩耗を防止することができる。
【００４２】
なお、本実施形態では、当接部４ｂを、取付部４ａを介してバット２の背面２ｄに取り付けているが、取付部４ａを省略し、バット２の背面２ｄに直接、取り付けてもよい。それにより、押圧部４をより単純かつ安価に構成することができる。
【００４３】
図６は、押圧部４の第１変形例を示している。この第１変形例では、押圧部４１は、板ばねで構成され、その上端部がバット２の背面２ｄの所定位置にねじ４１ａで取り付けられており、上端部から後方に凸に湾曲しながら下方に延びるとともに、その下側の部分は、バット２の背面２ｄに沿ってほぼ平行に下方に若干延びており、当接部４１ｂになっている。離鍵状態における当接部４１ｂとバットスプリング３の第２腕部３ｃとのクリアランスＣ１（図６（ａ）参照）は、第１実施形態と同じ所定値に設定されている。
【００４４】
したがって、図６（ｂ）に示すように、レットオフ直前において、当接部４１ｂが第２腕部３ｃに当接し、それにより、上述した第１実施形態と同様、バットスプリング３が押圧部４１を介してバット２を前方に押圧するので、第１実施形態の効果を同様に得ることができる。また、押圧部４１を板ばねのみで構成するので、第１実施形態と比較して、押圧部４１を単純かつ安価に構成することができる。
【００４５】
図７は、押圧部４の第２変形例を示している。この第２変形例では、押圧部４５は、バット２の背面２ｄから突出する突出部４５ａと、突出部４５ａの背面に貼り付けられた緩衝材４５ｂによって構成されている。突出部４５ａは、バット２と一体に設けられており、そのバット２の背面２ｄからの突出量が所定の大きさに設定されるとともに、背面２ｄの中央部の所定位置に配置されている。緩衝材４５ｂは、例えばフェルトなどで構成されている。また、離鍵状態における押圧部４５の背面と第２腕部３ｃとのクリアランスＣ１（図７（ａ）参照）は、第１実施形態と同じ所定値に設定されている。
【００４６】
したがって、図７（ｂ）に示すように、レットオフ直前において、押圧部４５の緩衝材４５ｂが第２腕部３ｃに当接し、それにより、第１実施形態と同様、バットスプリング３が押圧部４５を介してバット２を前方に押圧するので、第１実施形態の効果を同様に得ることができる。なお、第１実施形態の当接部４ｂや第２変形例の緩衝材４５ｂとして互いに異なる厚さを有する複数のものを用意し、その中から適当な厚さのものを選択してもよく、それにより、押圧部４、４５と第２腕部３ｃとのクリアランスＣ１を、押圧部４、４５が第２腕部３ｃにレットオフ直前に当接するような適切な大きさに、容易に調整することができる。また、後述するように、クリアランスＣ１が異なると、それに応じて増大するレットオフ荷重の大きさが変化するので、上記のようなクリアランスＣ１の調整を、レットオフ荷重の調整用として用いてもよい。
【００４７】
次に、図８〜図１０を参照しながら、本発明の第２実施形態によるアクションについて説明する。このアクション５１は、第１実施形態のアクション２１と基本的に同様の構成を有しており、バット２の背面２ｄに押圧部４が設けられていないことやバットスプリング３の形状などが異なるだけなので、以下、共通する構成要素については同じ符号を用い、第１実施形態との相違点を中心として説明する。
【００４８】
図８〜図１０に示すように、バットスプリング３は、前述した第１実施形態と異なり、その第２腕部３ｃの中央部がバット２側に凸に湾曲しており、この部分が押圧部３ｅになっている。押圧部３ｅは、離鍵状態では、図１０（ａ）に示すようにバット２の背面２ｄに間隔を隔てて対向しており、その背面２ｄとのクリアランスＣ２が所定値に設定されている。この構成により、押圧部３ｅは、図１０（ｂ）に示すように、レットオフ直前において、バット２の背面２ｄに当接する。これにより、押圧部３ｅがバット２を前方に押圧することによって、レットオフ荷重が増大する。
【００４９】
図１１は、上述した本実施形態のアクション５１を用いたときの鍵１２の押下量（「鍵押下量」と図示）とタッチ重さとの関係を、比較例とともに示している。この比較例は、バットスプリング３に押圧部３ｅが設けられていない通常のアクションを用いた場合の例である。また、本実施形態については、離鍵状態での押圧部３ｅとバット２の背面２ｄとのクリアランスＣ２が小さい実施例１と、より大きい実施例２の２つの例を示している。
【００５０】
図１１に示すように、２つの実施例および比較例のいずれの場合にも、押鍵の開始直後には（同図の区間Ａ）、タッチ重さは、ハンマー１およびアクション５１の重さやバットスプリング３の付勢力などに応じた大きさを有し、ほぼ一定の状態になっている。押鍵が進み、前述したウィッペン２２のスプーン２６がダンパーレバー３５ｂに当接すると、ダンパーレバースプリング３５ｅの付勢力の分、タッチ重さが若干、大きくなる（区間Ｂ）。
【００５１】
押鍵がさらに進み、ジャック２３がレギュレティングボタン２８に当接すると、上記のアクション５１の重さなどに加え、レギュレティングボタン２８からの反力が作用することによって、タッチ重さは急激に増大する（区間Ｃ）。そして、ジャック２３がバット２から外れると、タッチ重さは、バット２およびハンマー１の重量分が急激に失われることによって急激に減少する（区間Ｄ）。そして、鍵１２の前端部が筬１３のフロントレール（図示せず）に当接することによって、鍵１２がそれ以上、回動不可能になり、タッチ重さは、筬１３からの反力によって急激に増大する（区間Ｅ）。
【００５２】
この場合、本実施形態のアクション５１では、前述したように、レットオフ直前に、バットスプリング３の押圧部３ｅが、バット２の背面２ｄに当接し、バット２を前方に押圧する。これにより、この押圧力の分、比較例よりも、レットオフ荷重Ｌα，Ｌβが大きくなっており、レットオフ前後のタッチ重さの変化量ＤＬα，ＤＬβも大きくなっている。また、クリアランスＣ２が小さい実施例１では、大きい実施例２と比較して、押圧部３ｅによる押圧が早いタイミングで開始されることによって、上述したバットスプリング３からの押圧力がバット２に十分に伝達されるため、実施例１のレットオフ荷重Ｌαは、実施例２のレットオフ荷重Ｌβよりも大きくなっている。
【００５３】
これに対して、比較例では、バットスプリング３に押圧部３ｅが設けられておらず、レットオフ直前に上述したような押圧力が得られないため、レットオフ荷重Ｌ’およびレットオフ前後のタッチ重さの変化量ＤＬ’は、本実施形態の場合よりも小さい。
【００５４】
以上のように、本実施形態によれば、第１実施形態と同様、レットオフ荷重およびレットオフ前後のタッチ重さの変化量を大きくすることによって、レットオフのタイミングを明確にすることができ、したがって、表現力に優れた高い演奏性を実現することができる。また、押圧部３ｅによる押圧力が、レットオフ直前にのみ作用し、それ以前には作用しないので、第１実施形態と同様、良好なタッチ重さおよびタッチ感を確保することができる。さらに、アクション５１は、既存のバットスプリング３に押圧部３ｅを設けるだけで、非常に単純かつコンパクトに構成できるとともに、部品点数はまったく変わらないので、製造コストを最小限に抑えることができる。
【００５５】
図１２は、上述した図８のバット２の第１変形例を示している。この第１変形例では、バット２の背面２ｄのバットスプリング３の押圧部３ｅに対応する位置に、規制溝２ｇ（規制部）が形成されている。この規制溝２ｇは、上下方向に所定の長さで延びており、バットスプリング３を構成する線材の径よりも若干大きな所定の幅と、所定の深さを有している。押圧部３ｅは、離鍵状態では、図１３（ａ）に示すようにバット２の背面２ｄに間隔を隔てて対向しており、規制溝２ｇの底面とのクリアランスＣ２が第２実施形態と同じ所定値に設定されている。
【００５６】
以上の構成により、押圧部３ｅは、図１３（ｂ）に示すように、レットオフ直前において、バット２の規制溝２ｇに入り込み、その底面に当接する。これにより、押圧部３ｅがバット２を前方に押圧することによって、レットオフ荷重が増大する。したがって、第２実施形態の効果を同様に得ることができる。また、この当接時、押圧部３ｅが規制溝２ｇに入り込むことによって、押圧部３ｅが左右方向にずれるのが防止されるので、押圧部３ｅによる押圧力をバット２にロスなく効率的に伝達することができ、したがって、レットオフ荷重を確実に増大できる。
【００５７】
図１４は、図８のバット２の第２変形例を示している。この第２変形例では、バット２の背面２ｄの中央部に、左右一対のガイド壁２ｈ，２ｈが突出した状態で一体に設けられており、両者の間の空間が規制溝２ｉ（規制部）になっている。バットスプリング３の押圧部３ｅは、規制溝２ｉにその幅方向に若干の遊びをもって収容されるとともに、離鍵状態では、規制溝２ｉの底面との間に間隔を隔てて対向しており、規制溝２ｉの底面とのクリアランスは、第２実施形態と同じ所定値に設定されている。これにより、押圧部３ｅは、レットオフ直前に規制溝２ｉの底面に当接する。
【００５８】
このように、レットオフ直前に、規制溝２ｉに収容された押圧部３ｅがバット２の背面２ｄに当接するので、上述した第１変形例と同様、この当接時に押圧部３ｅが左右方向にずれるのを防止でき、したがって、押圧部３ｅによる押圧力をバット２にロスなく効率的に伝達することができる。
【００５９】
また、図１５および図１６は、図８のバット２の第３変形例を示している。図１５および図１６に示すように、この第３変形例では、バット２の背面２ｄの押圧部３ｅに対応する位置に、例えばフェルトなどで構成された緩衝材２ｊが貼り付けられている。押圧部３ｅは、離鍵状態では、図１６（ａ）に示すように緩衝材２ｊに間隔を隔てて対向しており、その緩衝材２ｊとのクリアランスＣ２は、第２実施形態と同じ所定値に設定されている。これにより、図１６（ｂ）に示すように、押圧部３ｅは、レットオフ直前に、緩衝材２ｊを介してバット２の背面２ｄに当接する。
【００６０】
このように、押圧部３ｅが緩衝材２ｊを介してバット２の背面２ｄに当接するので、この当接の際にノイズが発生するのを防止できるとともに、押圧部３ｅの変形やバット２の摩耗を防止することができる。また、緩衝材２ｊとして互いに異なる厚さを有する複数のものを用意し、それらの中から適当な厚さのものを選択することによって、押圧部３ｅと緩衝材２ｊとのクリアランスＣ２を、押圧部３ｅがバット２にレットオフ直前に当接するような適切な大きさに、容易に調整することができる。なお、前述したように、クリアランスＣ２の大きさが異なると、それに応じて増大するレットオフ荷重の大きさが変化するので、上記のようなクリアランスＣ２の調整を、レットオフ荷重の調整用として用いてもよい。
【００６１】
次に、図１７を参照しながら、本発明の第３実施形態によるアクションについて説明する。このアクション６１は、第２実施形態のアクション５１と基本的に同様の構成を有しており、バットスプリング３の形状が異なるだけなので、以下、共通する構成要素については同じ符号を用い、第２実施形態との相違点を中心として説明する。
【００６２】
図１７に示すように、バットスプリング３は、前述した第２実施形態と異なり、その第２腕部３ｃの上部から中央までの部分が、バット２側に凸に湾曲する所定の形状を有しており、接触部３ｆになっている。図１７（ａ）に示すように、離鍵状態では、接触部３ｆは、バット２の背面２ｄの上端部に近い位置ＴＡに点接触している。この状態から、鍵１２が押鍵され、バット２の回動が進むと、接触部３ｆは、バット２の背面２ｄと線接触するようになるとともに、その接触部分（以下「スプリング接触部分」という）が次第に下方に移動する。これに伴い、このスプリング接触部分の下端位置が、下方に移動し、図１７（ｂ）に示すように、レットオフ直前には、バット２の背面２ｄの中央の位置ＴＢに位置し、その分、バットスプリング３の有効長さが短くなる。
【００６３】
以上のように、本実施形態によれば、バットスプリング３は、そのコイル部３ａおよびフック部３ｄがバット２およびバットフレンジ８に対してそれぞれ係止されるともに、その接触部３ｆがバット２の背面２ｄに接触している。したがって、バットスプリング３は、バット２の回動が進むのに伴って圧縮され、たわむことによって、上記のスプリング接触部分を介してバット２を前方に付勢する。また、上述したように、バット２の回動角度が大きくなるほど、バットスプリング３の有効長さが短くなるので、バット２に作用するバットスプリング３の付勢力とそのたわみとの比がより大きくなる。以上により、バットスプリング３の付勢力は、バット２の回動角度が大きくなるほど、すなわち押鍵が進むほど、より大きな増加度合で非線形に大きくなる。したがって、第１実施形態と同様、レットオフ荷重およびレットオフ前後のタッチ重さの変化量を大きくすることによって、レットオフのタイミングを明確にすることができ、それにより、表現力に優れた高い演奏性を実現することができる。
【００６４】
また、バット２の回動角度が小さいとき、すなわち押鍵の初期には、バットスプリング３の付勢力が小さい状態に維持されるので、第１実施形態と同様、良好なタッチ重さおよびタッチ感を確保することができる。さらに、アクション６１は、既存のバットスプリング３に接触部３ｆを設けるだけで、非常に単純かつコンパクトに構成できるとともに、部品点数はまったく変わらないので、製造コストを最小限に抑えることができる。
【００６５】
なお、バット２の背面２ｄの接触部３ｆとの接触部分に、例えばフェルトなどで構成された緩衝材を貼り付けてもよい。その場合には、スプリング接触部分の移動に伴うノイズの発生、接触部３ｆの変形やバット２の摩耗を防止することができる。
【００６６】
なお、本発明は、説明した実施形態に限定されることなく、種々の態様で実施することができる。例えば、本実施形態では、バットスプリング３を、ねじりコイルばねで構成したが、その上端部および下端部がバット２およびバットフレンジ８に対してそれぞれ係止されるとともに、バット２を前方に付勢するものであれば、他の適当なばね、例えば板ばねで構成してもよい。また、実施形態では、押圧部４、４１、４５、３ｅを、バット２の背面２ｄおよびバットスプリング３の一方に設けたが、これらの双方に設けてもよい。その他、本発明の趣旨の範囲内で、細部の構成を適宜、変更することが可能である。
【図面の簡単な説明】
【００６７】
【図１】本発明の第１実施形態によるアクションおよびハンマーなどを離鍵状態において示す側断面図である。
【図２】図１のバットなどの拡大側面図である。
【図３】図１のバットなどの拡大背面図である。
【図４】図１の押圧部の拡大斜視図である。
【図５】図１のバットなどをレットオフ直前において示す拡大側面図である。
【図６】第１変形例による押圧部を、バットなどとともに、（ａ）離鍵状態、および（ｂ）レットオフ直前において示す拡大側面図である。
【図７】第２変形例による押圧部を、バットなどとともに、（ａ）離鍵状態、および（ｂ）レットオフ直前において示す拡大側面図である。
【図８】本発明の第２実施形態によるアクションのバットなどの拡大斜視図である。
【図９】図８のバットスプリングの拡大側面図である。
【図１０】図８のバットなどを、（ａ）離鍵状態、および（ｂ）レットオフ直前において示す拡大側面図である。
【図１１】図８のアクションを用いた場合の鍵の押下量とタッチ重さとの関係を、比較例とともに示す図である。
【図１２】図８のバットの第１変形例を示す拡大斜視図である。
【図１３】図１２のバットなどを、（ａ）離鍵状態、および（ｂ）レットオフ直前において示す拡大側面図である。
【図１４】図８のバットの第２変形例を示す拡大斜視図である。
【図１５】図８のバットの第３変形例を示す拡大斜視図である。
【図１６】図１５のバットなどを、（ａ）離鍵状態、および（ｂ）レットオフ直前において示す拡大側面図である。
【図１７】本発明の第３実施形態によるアクションのバットなどを、（ａ）離鍵状態、および（ｂ）レットオフ直前において示す拡大側面図である。
【符号の説明】
【００６８】
１  ハンマー
２  バット
３  バットスプリング
３ａ  コイル部（バットスプリングの上端部）
３ｄ  フック部（バットスプリングの下端部）
４  押圧部
８  バットフレンジ
１２  鍵
２１  アクション
２３  ジャック
Ｓ  弦
４１  押圧部
４５  押圧部
５１  アクション
２ｇ  規制溝（規制部）
３ｅ  押圧部
２ｉ  規制溝（規制部）
２ｊ  緩衝材
６１  アクション
【図１】
2007108661.tif 000003
【図２】
2007108661.tif 000004
【図３】
2007108661.tif 000005
【図４】
2007108661.tif 000006
【図５】
2007108661.tif 000007
【図６】
2007108661.tif 000008
【図７】
2007108661.tif 000009
【図８】
2007108661.tif 000010
【図９】
2007108661.tif 000011
【図１０】
2007108661.tif 000012
【図１１】
2007108661.tif 000013
【図１２】
2007108661.tif 000014
【図１３】
2007108661.tif 000015
【図１４】
2007108661.tif 000016
【図１５】
2007108661.tif 000017
【図１６】
2007108661.tif 000018
【図１７】
2007108661.tif 000019